(57)【特許請求の範囲】
【請求項１】
粉体の貯槽と、この貯槽内の粉体を所定の量計量し搬送管路に供給する粉体供給機と、該貯槽に空気吸込口が、該搬送管路に加圧空気吐出口がそれぞれ連結された加圧空気生成手段と、該貯槽に連結されこの加圧空気生成手段の吸引力により該貯槽に粉体を吸引し補給する補給管と、該空気吸込口を該貯槽又は外気導入に切換える切換手段とを備え、
該粉体供給機は、粉体を導入し該搬送管路につながる供給口に供給する複数個の計量室を有した回転テーブルと、該供給口の前後において計量室を閉塞する閉塞部材と、該閉塞部材を計量室に向け押圧する押圧手段とを備え、
該計量室は筒孔状に形成され、該供給口は複数の計量室の開口を包囲する大きさに形成され、
該押圧手段は、押圧力の大きさを調整可能にした調整手段を備えている、ことを特徴とする粉体補給手段を備えた粉体供給装置。
【発明の詳細な説明】
【０００１】
【発明の属する技術分野】
本発明は、粉体貯槽への粉体補給方法、及びその手段を備えた粉体供給装置に関する。
【０００２】
【従来の技術】
粉体状の薬品、食糧品などを、所定の量計量し供給先に送給する装置として、当業者には周知の、粉体を収容する貯槽と、粉体の計量手段を有する供給機を備え、供給口から排出された粉体を搬送管路の加圧空気によって送給する粉体供給装置が広く実用に供されている。
【０００３】
この粉体供給装置の典型例としては、例えば焼却炉にダイオキシン対策用の消石灰及び活性炭を、連続してあるいは定期的に吹き込む吹込装置がある。
【０００４】
【発明が解決しようとする課題】
この従来の粉体供給装置には、粉体を収容する貯槽への粉体の補給に関して、次のとおりの解決すべき課題がある。
【０００５】
（１）粉体の補給：
粉体を収容する貯槽には、連続してあるいは定期的に、供給量に応じ粉体を補給する必要がある。この補給は、粉体供給装置が連続運転される例えば大型の焼却炉設備などにおいては、粉体の輸送、補給を自動化した貯槽への補給装置が備えられているが、運転回数の少ない例えば中小型の焼却炉設備においては、粉体の補給は紙袋、ペール缶などを用い人手によって行われれており、補給作業が面倒である。
【０００６】
（２）運転中の補給：
粉体供給装置の運転中には、粉体供給機の粉体供給口に搬送管路の加圧空気が作用する。そしてこの加圧空気は、計量手段を介し貯槽内に漏れ、貯槽の粉体を吹き上げたり粉塵を発生させることがある。したがって、粉体供給装置の運転中に貯槽内の粉体が減り補給の必要な場合、貯槽に粉体を補給できない。粉体を補給するには粉体供給装置の運転を止める必要がある。
【０００７】
（３）補給手段：
粉体補給のために連続運転される粉体供給装置の場合のような自動化した補給装置が望まれるが、運転形態によってはそのような装置は不経済であるので、粉体供給装置とユニットになったコンパクトで簡便な補給手段の開発が望まれている。
【０００８】
本発明は上記事実に鑑みてなされたもので、その技術的課題は、貯槽の粉体を所定量計量し供給する粉体供給装置において、貯槽への粉体の補給を、容易に行うことができ、かつ粉体供給装置の運転を停止させないで行うことができ、さらにコンパクトで簡便な、貯槽への粉体補給手段を備えた粉体供給装置を提供することである。
【０００９】
【課題を解決するための手段】
本発明においては、上記技術的課題を解決する貯槽への粉体補給手段を備えた粉体供給装置として、粉体の貯槽と、この貯槽内の粉体を所定の量計量し搬送管路に供給する粉体供給機と、該貯槽に空気吸込口が、該搬送管路に加圧空気吐出口がそれぞれ連結された加圧空気生成手段と、該貯槽に連結されこの加圧空気生成手段の吸引力により該貯槽に粉体を吸引し補給する補給管と、該空気吸込口を該貯槽又は外気導入に切換える切換手段とを備え、該粉体供給機は、粉体を導入し該搬送管路につながる供給口に供給する複数個の計量室を有した回転テーブルと、該供給口の前後において計量室を閉塞する閉塞部材と、該閉塞部材を計量室に向け押圧する押圧手段とを備え、該計量室は筒孔状に形成され、該供給口は複数の計量室の開口を包囲する大きさに形成され、該押圧手段は、押圧力の大きさを調整可能にした調整手段を備えている、ことを特徴とする粉体補給手段を備えた粉体供給装置が提供される。
【００１１】
そして、加圧空気生成手段の、例えばブロワやファンの吸引力を利用して、粉体を貯槽に吸引し補給する。
【００１３】
そして、切換手段により空気吸込口を、粉体を補給するときには貯槽に、補給しないときには外気に切換える。また押圧手段により、計量室を介した搬送管路と貯槽との間のシール性を向上させ、加圧空気が貯槽内に漏れないようにする。また、搬送管路の加圧空気の圧力の大きさに応じて押圧力を調整できるようにする。さらに、ユニット化してコンパクトで簡便な、粉体補給手段を備えた粉体供給装置を提供する。
【００１４】
【発明の実施の形態】
以下、本発明に従って構成された、粉体補給手段を備えた粉体供給装置及び貯槽への粉体補給方法について、好適実施形態を図示している添付図面を参照してさらに詳細に説明する。
【００１５】
図１を参照して説明すると、全体を番号２で示す、粉体補給手段を備えた粉体供給装置は、粉体の貯槽４と、この貯槽４内の粉体を所定の量計量して搬送管路６により搬送先に供給する粉体供給機８と、貯槽４に空気吸込口１０ａが、搬送管路６に加圧空気吐出口１０ｂがそれぞれ連結された加圧空気生成手段としてのブロワ１０と、貯槽４に連結された補給管１２とを備えている。
【００１６】
空気吸込口１０ａと貯槽４との間には、空気吸込口１０ａを、貯槽４又は外気導入口であるサイレンサ１４に選択的に切換える切換手段としての、三方弁からなる切換弁１６を備えている。
【００１７】
貯槽４は、下部を下方に徐々に小径の漏斗状にした円筒状の本体４ａ、本体４ａの上部に形成されたフィルタケース４ｂ、及び本体４ａの周縁と下方の基台１８とを結ぶ複数本の支柱４ｃを備えている。粉体供給機８は、本体４ａの下端に取付けられている。フィルタケース４ｂには、空気吸入口１０ａにつながる切換弁１６と連結する吸入管２０が取付けられている。この貯槽４内は、補給管１２、吸入管２０を除いて実質上密封構造になっている。
【００１８】
フィルタケース４ｂ内には、貯槽４内の粉体が吸入管２０に流入しないようにフィルタ２２が取付けられている。このフィルタ２２は、着脱及び清掃を容易にするためにカートリッジタイプになっている。
【００１９】
補給管１２は、本体４ａの上部に内部に延びて取付けられた補給ノズル１３に連結されている。補給管１２の他端は開放され、補給する粉体を収容した紙袋、ペール缶などの容器２４の中に差し込まれている。補給管１２には必要により、容器２４から貯槽４の方向への流れのみを許容する逆止弁（図示していない）を設け粉体の逆流を止めるようにしてもよい。
【００２０】
加圧空気生成手段であるブロワ１０も基台１８の上に取付けられている。ブロワ１０の空気吸込口１０ａが切換弁１６に接続され、加圧空気吐出口１０ｂが搬送管路６に接続されている。
【００２１】
図１と共に図２及び図３を参照して粉体供給機８について説明する。先ず概略の構成について説明すると、粉体供給機８は、搬送管路６につながる供給口２６を備えたケース本体２８と、粉体を導入し供給口２６に排出する複数個の、上下が開口した計量室３０を有した回転テーブル３２と、供給口２６の前後において計量室３０の上下の開口を、摺接して閉塞する上下一対の閉塞部材としてのすり切り板３４、３４と、すり切り板３４の各々を計量室３０に向け押圧する押圧手段３６とを備えている。
【００２２】
回転テーブル３２は、所定の厚さＴを有した円板で、軸線３３を中心にケース本体２８の下部に取付けられた電動モータＭにより図２に示す所定の方向Ｒに回転される。計量室３０は、回転テーブル３２の外縁部に周方向に複数個、二つのピッチ円上に表裏である上下が開口して筒孔状に形成されている。計量室３０は、外側のピッチ円上に大径孔３０ａが、内側のピッチ円上に小径孔３０ｂが配設されている。
【００２３】
すり切り板３４は、図２に示すごとく矩形平板状に形成され、平板の中央には供給口２６に整列された同じ大きさの丸孔３４ａが形成されている。丸孔３４ａは図２に示すごとく、計量室３０の大径孔３０ａ１個と小径孔３０ｂ２個をほぼ包囲する大きさに形成されている。すり切り板３４の矩形形状は、丸孔３４ａを中心に回転テーブル３２の回転方向Ｒの前後において、それぞれほぼ６個の計量室３０を閉塞する大きさに形成されている。これによって、前閉塞域Ｚ１、後閉塞域Ｚ２が形成されている。
【００２４】
回転テーブル３２を所定の方向Ｒに回転させると、計量室３０は順次に、上下の開口が貯槽４内に開放され粉体が導入される導入域Ｘ、粉体の導入された計量室３０の上下の開口が閉じられる前閉塞域Ｚ１、上下の開口が供給口２６に開放され粉体が排出される排出域Ｙ、空になった計量室３０の上下の開口が閉じられる後閉塞域Ｚ２を通して移動される。したがって、計量室３０の容積及び回転テーブル３２の回転数を規定することにより、貯槽４内の粉体が所定の量計量されて連続的に搬送管路６に排出される。
【００２５】
主として図３を参照して説明すると、押圧手段３６は、前後の閉塞域Ｚ１、Ｚ２において、上下のすり切り板３４、３４を、それぞれ押圧板３８、３８を介して押圧する。前閉塞域Ｚ１に上下に各１個、後閉塞域Ｚ２に上下に各１個、計４個がケース本体２８に取付けられている。
【００２６】
押圧手段３６は、押圧力を生成するための圧縮コイルばね３６ａと、ばね３６ａの圧縮量により規定される取付荷重を調整するための、進退自在なねじ部材を有した調整手段３６ｂと、ばね３６ａの圧縮量に連動する目視可能な移動片を有した表示手段３６ｃとを備えている。したがって、表示手段３６ｃによってばね３６ａの圧縮量を確認しながら調整手段３６ｂによって押圧力を任意に調整することができる。
【００２７】
上述の貯槽４、粉体供給機８、加圧空気生成手段のブロワ１０、及び補給管１２は、基台１８の上に一つのユニットとして組立てられている。
【００２８】
主として図１を参照して、上述したとおりの粉体供給装置２における貯槽４への粉体の補給方法について説明する。
【００２９】
貯槽４内に外部の容器２４の粉体を補給するには、加圧空気生成手段のブロワ１０を運転状態にし、切換弁１６はブロワ１０の空気吸込口１０ａが貯槽４に連結する状態にする。かくすることにより、貯槽４内の空気はブロワ１０に吸引され、この吸引力によって容器２４内の粉体は補給管１２を通して貯槽４内に吸入され補給される。
【００３０】
切換弁１６を外気導入口のサイレンサ１４側に切換えると、ブロワ１０の空気吸込口１０ａと貯槽４の連結は断たれ、貯槽４の吸引力はなくなるので、補給管１２からの粉体の吸引、補給は停止する。
【００３１】
上述したとおりの、粉体の補給方法及び粉体供給装置２の効果について説明する。
【００３２】
（１）貯槽への粉体の補給が容易：
粉体を搬送先に送給する搬送管路６に流す加圧空気を生成するための加圧空気生成手段１０の吸引力を利用して、粉体を貯槽４内に吸引するようにしたので、粉体を貯槽４に必要なときに容易に補給できる。そして、従来の紙袋、ペール缶などを用いた人手による貯槽４への面倒な補給作業を除くことができる。
【００３３】
（２）運転中の補給が可能：
粉体は密閉された貯槽４に補給管１２を通し補給されるので、粉体供給装置２の運転中に搬送管路６の加圧空気の貯槽内への漏れがあっても、外部への粉体の吹き上げ粉塵の発生がなく、また押圧手段３６により搬送管路６の加圧空気の圧力に応じて閉塞部材であるすり切り板３４を計量室３０に押圧する力を調整し加圧空気の圧力が貯槽４内にかからないようにすることができるので、粉体の補給時に粉体供給装置２を停止させるる必要がなく、運転中の補給が可能である。
【００３４】
また、押圧手段３６は粉体供給機８のケース本体２８の外に調整手段３６ｂ及び表示手段３６ｃを備えて設けられているので、押圧力の調整は外部から容易に行える。
【００３５】
（３）簡便な補給手段：
搬送管路６に加圧空気を流す加圧空気生成手段１０を粉体を吸引する手段としてそのまま利用できるので、粉体を補給する補給管１２を含め、粉体供給装置２を基台１８上に一つのユニットとして、コンパクトに、そして簡便にまとめることができる。
【００３６】
以上、本発明を実施の形態に基づいて詳細に説明したが、本発明は上記の実施の形態に限定されるものではなく、例えば下記のように、本発明の範囲内においてさまざまな変形あるいは修正ができるものである。
【００３７】
（１）加圧空気生成手段：
本実施の形態においては、加圧空気生成手段としてブロワ１０が用いられているが、加圧空気生成手段は加圧空気を生成することができるものであればよく、例えばファンであってもよい。
【００３８】
（２）切換手段：
本実施の形態においては、切換手段６として切換弁１６が用いられ、空気吸込口１０ａを貯槽４又は外気導入口のサイレンサ１４に選択的に切換えられるようにしたが、切換弁１６を貯槽４及びサイレンサ１４の両方に任意の比率で開口するようにして粉体を吸引する力を調整できるようにしてもよい。
【００３９】
（３）切換手段：
本実施の形態においては、切換手段として切換弁１６が用いられているが、この切換えは、切換弁を用いないで配管の急速継手などによって、配管の連結を着脱し組換えるようにしてもよい。
【００４０】
【発明の効果】
本発明によれば、貯槽の粉体を所定量計量し供給する粉体供給装置において、貯槽への粉体の補給を、容易に行うことができ、かつ粉体供給装置の運転を停止させないで行うことができ、さらにコンパクトで簡便な、貯槽への粉体補給方法及びその手段を備えた粉体供給装置が提供される。
【図面の簡単な説明】
【図１】本発明に係る、粉体補給手段を備えた粉体供給装置の構成説明図。
【図２】図１のＡ−Ａ矢印方向に見て、粉体供給機の回転テーブルの部分を見た拡大断面図（図３のＡＡ−ＡＡ矢印で見た断面に相当する）。
【図３】図１のＢ−Ｂ矢印方向に見て、粉体供給機の押圧手段の部分を見た拡大断面図（図２のＢＢ−ＢＢ矢印で見た断面に相当する）。
【符号の説明】
２：粉体供給装置
４：貯槽
６：搬送管路
８：粉体供給機
１０：ブロワ（加圧空気生成手段）
１０ａ：空気吸込口
１０ｂ：加圧空気吐出口
１２：補給管
１６：切換弁（切換手段）
２６：供給口
３０：計量室
３２：回転テーブル
３４：すり切り板（閉塞部材）
３６：押圧手段
３６ｂ：調整手段
【図１】
0004122177.tif 000002
【図２】
0004122177.tif 000003
【図３】
0004122177.tif 000004